(57)【要約】【課題】  発信毎の優先度に応じて呼制御処理を行うことができる移動通信システムおよび通信優先度決定方法を目的とする。【解決手段】  複数の移動通信端末と通信し、ＩＰ網２へ接続される複数の無線基地局装置ＭＰを備える移動通信システムであって、このＩＰ網２に接続される、呼制御処理を行うＳＩＰサーバ３と呼を優先制御するコントロールサーバ４とを備える。コントロールサーバには、接続要求を受信した場合に移動通信端末ＭＰ１へ送信する優先通信基準テーブル４３ａと、移動通信端末ＭＰ１から送られてくる優先度を受信すると優先度の順に並べ替えて更新される優先リスト４３ｂとを備え、その優先リスト４３ｂが更新されるとコントロールサーバ４はこの優先リスト４３ｂをＳＩＰサーバ３へ送信し、ＳＩＰサーバ３はこの優先リスト４３ｂに基づいて接続要求を許可する接続応答の通知を無線基地局装置ＢＳ１を介して移動通信端末ＭＰ１へ送信する。【選択図】  図１
2009212589.tif 000002
【特許請求の範囲】
【請求項１】
複数の移動通信端末と通信し、ＩＰ網へ接続される複数の無線基地局装置を備える移動通信システムであって、
前記ＩＰ網に接続され、前記移動通信端末の呼制御処理を行う呼制御処理サーバと、
前記ＩＰ網に接続され、前記移動通信端末に係る呼を優先制御する優先制御サーバと
を備え、
前記優先制御サーバには、
前記移動通信端末から前記無線基地局装置を介して接続要求を受信した場合に、前記移動通信端末へ送信する優先通信基準を示した優先通信基準テーブルと、
前記優先通信基準を受信した移動通信端末から送られてくる優先度を受信すると、前記優先通信基準に対応した優先度の順に前記接続要求に係る移動通信端末の情報を並べ替えて更新される優先リストと、
前記優先リストが更新されると、前記優先リストを前記呼制御処理サーバへ送信する手段とを備え、
前記呼制御処理サーバには、
前記優先リストに基づいて接続要求を許可する順番を判断する手段を備えることを特徴とする移動通信システム。
【請求項２】
前記呼制御処理サーバは、
現在通信中の移動通信端末と前記優先度とを対応付けて記憶する通信中テーブルをさらに備え、
前記優先制御サーバは、
前記無線基地局装置からハンドオーバ要求を受信した場合に、前記ハンドオーバ要求に係る前記無線基地局装置の優先度を、前記通信中テーブルを参照して通知することを前記呼制御処理サーバに要求する手段と、
前記手段によって要求した優先度を受信すると、前記優先度に応じて前記優先リストを更新する手段と
をさらに備えることを特徴とする請求項１に記載の移動通信システム。
【請求項３】
複数の移動通信端末と通信し、ＩＰ網へ接続される複数の無線基地局装置を備える移動通信システムであって、
前記ＩＰ網に接続され、前記移動通信端末の呼制御処理を行うと共に前記移動通信端末に係る呼を優先制御する優先呼制御サーバを備え、
前記優先呼制御サーバには、
前記移動通信端末から前記無線基地局装置を介して接続要求を受信した場合に、前記移動通信端末へ送信する優先通信基準を示した優先通信基準テーブルと、
前記優先通信基準を受信した移動通信端末から送られてくる優先度を受信すると、前記優先通信基準に対応した優先度の順に前記接続要求に係る移動通信端末の情報を並べ替えて更新される優先リストと、
前記優先リストが更新されると、前記優先リストに基づいて接続要求を許可する順番を判断する手段とを備えることを特徴とする移動通信システム。
【請求項４】
前記優先呼制御サーバには、
現在通信中の移動通信端末と前記優先度とを対応付けて記憶する通信中テーブルと、
前記無線基地局装置からハンドオーバ要求を受信した場合に、前記ハンドオーバ要求に係る前記無線基地局装置の優先度を、前記通信中テーブルを参照して優先度を判断する手段とをさらに備えることを特徴とする請求項３に記載の移動通信システム。
【請求項５】
複数の移動通信端末と通信し、ＩＰ網へ接続される複数の無線基地局装置と、前記ＩＰ網に接続され、前記移動通信端末の呼制御処理を行う呼制御処理サーバと、前記ＩＰ網に接続され、前記移動通信端末に係る呼を優先制御する優先制御サーバとを備える移動通信システムで使用される優先制御サーバであって、
前記移動通信端末から前記無線基地局装置を介して接続要求を受信した場合に、前記移動通信端末へ送信する優先通信基準を示した優先通信基準テーブルと、
前記優先通信基準を受信した移動通信端末から送られてくる優先度を受信すると、前記優先通信基準に対応した優先度の順に前記接続要求に係る移動通信端末の情報を並べ替えて更新される優先リストと、
前記優先リストが更新されると、前記優先リストを前記呼制御処理サーバへ送信する手段とを備えることを特徴とする優先制御サーバ。
【請求項６】
前記無線基地局装置からハンドオーバ要求を受信した場合に、前記ハンドオーバ要求に係る前記無線基地局装置の優先度を、現在通信中の移動通信端末と前記優先度とを対応付けて記憶する通信中テーブルを参照して通知することを前記呼制御処理サーバに要求する手段と、
前記手段によって要求した優先度を受信すると、前記優先度に応じて前記優先リストを更新する手段とをさらに備えることを特徴とする請求項５に記載の優先制御サーバ。
【請求項７】
複数の移動通信端末と通信し、ＩＰ網へ接続される複数の無線基地局装置を備える移動通信システムの通信優先度決定方法であって、
前記ＩＰ網に接続され、前記移動通信端末に係る呼を優先制御する優先制御サーバは、前記移動通信端末から前記無線基地局装置を介して接続要求を受信した場合に、前記移動通信端末へ優先通信基準を送信し、
前記優先通信基準を受信した移動通信端末から送られてくる優先度を前記優先制御サーバが受信すると、前記優先制御サーバに更新可能に記憶されている優先リストを前記優先通信基準に対応した優先度の順に前記接続要求に係る移動通信端末の情報を並べ替えて更新し、
前記優先制御サーバが前記優先リストを更新すると、前記優先リストを前記ＩＰ網に接続され前記移動通信端末の呼制御処理を行う呼制御処理サーバへ送信し、
前記呼制御処理サーバは、前記優先リストを受信すると、前記優先リストに基づいて接続要求を許可する順番を判断することを特徴とする通信優先度決定方法。
【請求項８】
複数の移動通信端末と通信し、ＩＰ網へ接続される複数の無線基地局装置を備える移動通信システムの通信優先度決定方法であって、
前記ＩＰ網に接続され、前記移動通信端末に係る呼を優先制御する優先制御サーバは、前記移動通信端末から前記無線基地局装置を介してハンドオーバ要求を受信した場合に、前記ＩＰ網に接続され、前記移動通信端末の呼制御処理を行う呼制御処理サーバへ前記ハンドオーバ要求に係る優先度を通知することを要求し、
前記要求受信した前記呼制御処理サーバは、前記ハンドオーバ要求に係る優先度を前記優先制御サーバへ通知し、
前記優先制御サーバは、前記優先度を通知されると、前記優先制御サーバに更新可能に記憶されている優先リストを前記優先度の順に前記ハンドオーバ要求に係る移動通信端末の情報を並べ替えて更新し、
前記優先制御サーバが前記優先リストを更新すると、前記優先リストを前記呼制御処理サーバへ送信し、
前記呼制御処理サーバは、前記優先リストを受信すると、前記優先リストに基づいてハンドオーバ要求を許可する順番を判断することを特徴とする通信優先度決定方法。
【発明の詳細な説明】
【技術分野】
【０００１】
本発明は、複数の移動通信端末と通信する複数の無線基地局装置を備えた移動通信システムおよび通信優先度決定方法に関する。
【背景技術】
【０００２】
昨今、光通信の発展および映像データや音楽データの配信サービスの普及に伴い、有線の固定通信網でのデータ通信量が急速に増加している。このような大容量のデータ通信は主に有線の固定通信網で通信する行うことが多かったが、携帯電話やＰＨＳなどの無線通信技術の向上によって、外出先などの移動中や屋外でも大容量のデータ通信を行うことができるようになりつつある。さらに、携帯電話やＰＨＳなどの移動通信端末単体での無線通信だけでなく、これらの移動通信端末をコンピュータに接続して大容量のデータを無線で通信するようになると期待されている。
【０００３】
このように無線で通信する移動通信端末を使用して音声データや映像データなどの大容量のデータを送受信することによって、無線基地局と移動通信端末が無線で通信する帯域である無線リソースが不足し、回線が繋がりにくい状況が生じると考えられる。
【０００４】
そのため、緊急車両の通信のように優先的に通信の接続を行わなくてはならない場合に通信できないという事態が発生する。これを解決するために、従来、優先的に接続を許可して通信させるという技術として、例えば特許文献１などが知られている。
【特許文献１】特開２００５−８０１５７号公報
【発明の開示】
【発明が解決しようとする課題】
【０００５】
しかしながら、上記の従来技術では、通信の際に送受信を行うパケットに含まれるＩＰアドレスやポート番号などの通信識別子に応じて優先制御を行うため、そのＩＰアドレスやポート番号を使用する通信であっても、常に優先されるべきとは限らない。その通信識別子を使用する通信を常に優先すると、優先されるべき通信ではない通信を行っている場合に、無線リソースをより優先度の高い通信へ有効に割当することができないという問題がある。
【０００６】
さらに、無線リソースの空きが１通信分しかない状況で、優先すべき通信と優先しなくてもよい通信がほぼ同時に接続要求を行った場合に、優先しなくてもよい通信の接続要求の方が先に呼処理が始まれば、僅かな時間差で優先すべき通信が接続できないという問題がある。
【０００７】
本発明は、上記問題点を解決するためになされたもので、発信毎に決定された優先度に応じて呼制御処理を行い、優先されるべき通信の接続要求またはハンドオーバ要求を優先して接続することができる移動通信システムおよび通信優先度決定方法を提供することを目的とする。
【課題を解決するための手段】
【０００８】
上記目的を達成するために、請求項１に記載の移動通信システムは、複数の移動通信端末と通信し、ＩＰ網へ接続される複数の無線基地局装置を備える移動通信システムであって、前記ＩＰ網に接続され、前記移動通信端末の呼制御処理を行う呼制御処理サーバと、前記ＩＰ網に接続され、前記移動通信端末に係る呼を優先制御する優先制御サーバとを備え、前記優先制御サーバには、前記移動通信端末から前記無線基地局装置を介して接続要求を受信した場合に、前記移動通信端末へ送信する優先通信基準を示した優先通信基準テーブルと、前記優先通信基準を受信した移動通信端末から送られてくる優先度を受信すると、前記優先通信基準に対応した優先度の順に前記接続要求に係る移動通信端末の情報を並べ替えて更新される優先リストと、前記優先リストが更新されると、前記優先リストを前記呼制御処理サーバへ送信する手段とを備え、前記呼制御処理サーバには、前記優先リストに基づいて接続要求を許可する順番を判断する手段を備えることを特徴とする。
【０００９】
また、上記目的を達成するために、請求項３に記載の移動通信システムは、複数の移動通信端末と通信し、ＩＰ網へ接続される複数の無線基地局装置を備える移動通信システムであって、前記ＩＰ網に接続され、前記移動通信端末の呼制御処理を行うと共に前記移動通信端末に係る呼を優先制御する優先呼制御サーバを備え、前記優先呼制御サーバには、前記移動通信端末から前記無線基地局装置を介して接続要求を受信した場合に、前記移動通信端末へ送信する優先通信基準を示した優先通信基準テーブルと、前記優先通信基準を受信した移動通信端末から送られてくる優先度を受信すると、前記優先通信基準に対応した優先度の順に前記接続要求に係る移動通信端末の情報を並べ替えて更新される優先リストと、前記優先リストが更新されると、前記優先リストに基づいて接続要求を許可する順番を判断する手段とを備えることを特徴とする。
【００１０】
また、上記目的を達成するために、請求項５に記載の優先制御サーバは、複数の移動通信端末と通信し、ＩＰ網へ接続される複数の無線基地局装置と、前記ＩＰ網に接続され、前記移動通信端末の呼制御処理を行う呼制御処理サーバと、前記ＩＰ網に接続され、前記移動通信端末に係る呼を優先制御する優先制御サーバとを備える移動通信システムで使用される優先制御サーバであって、前記移動通信端末から前記無線基地局装置を介して接続要求を受信した場合に、前記移動通信端末へ送信する優先通信基準を示した優先通信基準テーブルと、前記優先通信基準を受信した移動通信端末から送られてくる優先度を受信すると、前記優先通信基準に対応した優先度の順に前記接続要求に係る移動通信端末の情報を並べ替えて更新される優先リストと、前記優先リストが更新されると、前記優先リストを前記呼制御処理サーバへ送信する手段とを備えることを特徴とする。
【００１１】
また、上記目的を達成するために、請求項７に記載の通信優先度決定方法は、複数の移動通信端末と通信し、ＩＰ網へ接続される複数の無線基地局装置を備える移動通信システムの通信優先度決定方法であって、前記ＩＰ網に接続され、前記移動通信端末に係る呼を優先制御する優先制御サーバは、前記移動通信端末から前記無線基地局装置を介して接続要求を受信した場合に、前記移動通信端末へ優先通信基準を送信し、前記優先通信基準を受信した移動通信端末から送られてくる優先度を前記優先制御サーバが受信すると、前記優先制御サーバに更新可能に記憶されている優先リストを前記優先通信基準に対応した優先度の順に前記接続要求に係る移動通信端末の情報を並べ替えて更新し、前記優先制御サーバが前記優先リストを更新すると、前記優先リストを前記ＩＰ網に接続され前記移動通信端末の呼制御処理を行う呼制御処理サーバへ送信し、前記呼制御処理サーバは、前記優先リストを受信すると、前記優先リストに基づいて接続要求を許可する順番を判断することを特徴とする。
【００１２】
また、上記目的を達成するために、請求項８に記載の通信優先度決定方法は、複数の移動通信端末と通信し、ＩＰ網へ接続される複数の無線基地局装置を備える移動通信システムの通信優先度決定方法であって、前記ＩＰ網に接続され、前記移動通信端末に係る呼を優先制御する優先制御サーバは、前記移動通信端末から前記無線基地局装置を介してハンドオーバ要求を受信した場合に、前記ＩＰ網に接続され、前記移動通信端末の呼制御処理を行う呼制御処理サーバへ前記ハンドオーバ要求に係る優先度を通知することを要求し、
前記要求受信した前記呼制御処理サーバは、前記ハンドオーバ要求に係る優先度を前記優先制御サーバへ通知し、前記優先制御サーバは、前記優先度を通知されると、前記優先制御サーバに更新可能に記憶されている優先リストを前記優先度の順に前記ハンドオーバ要求に係る移動通信端末の情報を並べ替えて更新し、前記優先制御サーバが前記優先リストを更新すると、前記優先リストを前記呼制御処理サーバへ送信し、前記呼制御処理サーバは、前記優先リストを受信すると、前記優先リストに基づいてハンドオーバ要求を許可する順番を判断することを特徴とする。
【発明の効果】
【００１３】
本発明によれば、発信毎に決定された優先度に応じて呼制御処理を行い、優先されるべき通信の接続要求またはハンドオーバ要求を優先して接続することができる。
【発明を実施するための最良の形態】
【００１４】
以下、本発明の実施例を、図面を参照して説明する。
【実施例１】
【００１５】
図１は、この発明に係る移動通信システムの一実施の形態を示すシステム構成図である。  
このシステムは、無線インターフェースを搭載したコンピュータや携帯電話などの移動通信端末ＭＰ１、ＭＰ２、ＭＰ３、移動通信端末と無線で通信を行う無線基地局装置ＢＳ１、ＢＳ２、ＢＳ３、…、ＢＳｎ、呼制御処理を行うＳＩＰサーバ３（呼制御処理サーバ）、移動通信端末と通信して呼の優先度を決定するコントロールサーバ４（優先制御サーバ）、およびＳＩＰサーバ３、コントロールサーバ４が接続するＩＰ網２で構成されている。なお、移動通信端末ＭＰは３個のみ示しているが、各無線基地局装置ＢＳ１乃至ＢＳｎには多数の移動通信端末ＰＳが接続可能である。
【００１６】
図２は、ＳＩＰサーバの機能ブロック図である。ＳＩＰサーバ３には、制御部３１、通信インターフェース部３２、記憶部３３が備えられている。
【００１７】
通信インターフェース部３２は、ＩＰ網２と接続するものである。また、記憶部３３には、通信中の移動通信端末ＰＳとともにその移動通信端末の優先通信基準を記憶する通信中テーブル３３ａが記憶されている。制御部３１には、呼制御部３１ａが備えられ、移動通信端末ＭＰから接続要求や切断要求などを受信すると記憶部３３を更新するようになっている。
【００１８】
図３は、コントロールサーバ４の機能ブロック図である。コントロールサーバ４には、制御部４１、通信インターフェース部４２、記憶部４３が備えられている。  
通信インターフェース部４２は、ＩＰ網２と接続するものである。また、記憶部３３は、呼を優先制御するための基準を示した優先通信基準テーブル４３ａおよび、優先通信基準テーブル４３ａを基に作成する優先リスト４３ｂが記憶されるようになっている。
【００１９】
制御部４１は、通信インターフェース部４２から受信した情報を基に優先通信基準テーブル４３ａを参照したり、優先リスト４３ｂを更新したりするようになっている。
【００２０】
図４は、コントロールサーバ４に備えられた優先通信基準テーブル４３ａの一例である。優先度毎に、通信を優先すべき理由に相当するカテゴリを示している。図４では、優先度Ａのカテゴリは「人命救急」、優先度Ｂのカテゴリは「警察」であることを示している。
【００２１】
図５は、コントロールサーバ４に備えられた優先リスト４３ｂの一例である。この優先リスト４３ｂは、無線基地局装置ＢＳ毎に移動通信端末ＭＰと優先度が対応付けて記憶しているものである。図５では、無線基地局装置ＢＳ１には、優先度Ａの移動通信端末ＭＰ１と、優先度Ｂの移動通信端末ＭＰ２とが示されている。また、この優先リスト４３ｂは、接続要求が完了するまで記憶されており、新たに接続要求を受信すると優先リスト４３ｂに書き込まれるようになっている。ここでは、接続要求が完了すると、その接続要求に係る移動通信端末ＭＰの情報はこの優先リスト４３ｂから削除されるようにしてあるものとする。
【００２２】
図６は、無線基地局装置ＢＳに備えられた通信中テーブル３３ａの一例である。この通信中テーブル３３ａは、無線基地局装置ＢＳ毎に移動通信端末ＭＰと優先通信基準の優先度が対応付けて記憶しているものである。また、移動通信端末ＭＰがハンドオーバして無線基地局装置ＢＳを変更した場合は、ハンドオーバ先の無線基地局装置ＢＳの欄に記入されるようになっている。
【００２３】
図７は、移動通信システム全体の動作を示すシーケンス図である。ここでは、無線基地局装置ＢＳ１が移動通信端末ＭＰ１からの接続要求を受信したが、その移動通信端末ＭＰ１へ割当する無線リソースがない場合について説明する。なお、この無線リソースとは、無線基地局装置ＢＳが移動通信端末ＭＰへ割当することができる無線帯域のことを示す。
【００２４】
まず、移動通信端末ＭＰ１が、無線基地局装置ＢＳ１へ接続要求を送信する。接続要求を受信した無線基地局装置ＢＳは、コントロールサーバ４へ接続要求を転送する（Ｓ１０１）。接続要求を受信したコントロールサーバ３は、優先通信基準テーブル４３ａを表す信号を移動通信端末ＭＰ１へ送信し、その優先通信基準テーブル４３ａの中から、その接続要求を優先すべき理由に相当する優先度を選択して通知するよう移動通信端末ＭＰ１へ要求する（Ｓ１０２）。
【００２５】
移動通信端末ＭＰ１は、自らの接続要求を優先すべき理由に相当する優先度を優先通信基準テーブル４３ａの中から選択し、無線基地局装置ＢＳを介してその優先度を表す信号をコントロールサーバ４へ送信する（Ｓ１０３）。移動通信端末ＭＰ１から優先度を表す信号受信したコントロールサーバ４は、移動通信端末ＭＰ１とその接続要求に係る優先度を、優先度順に優先リストに記憶するように更新する（Ｓ１０４）。コントロールサーバ４は、優先リストを更新すると、優先リスト４３ｂをＳＩＰサーバ３へ送信する（Ｓ１０５）。
【００２６】
ＳＩＰサーバ３は、優先リスト４３ｂを参照して発信のあった移動通信端末ＰＳ１の今回の接続要求の優先度を判断し（Ｓ１０６）、この場合、優先リスト４３ｂに記載されている接続要求のうち最も優先度の高い接続要求に無線リソースを割当するために、最も優先度の高い接続要求を許可する接続応答の通知を無線基地局装置ＢＳへ送信する（Ｓ１０７）。この通知を送信すると、ＳＩＰサーバ３は、通信中テーブル３３ａを更新する（Ｓ１０８）。無線基地局装置ＢＳ２は、この通知を受信すると、無線リソースの割当を行う（Ｓ１０９）。無線基地局装置ＢＳ２が無線リソースの割当を行うと、移動通信端末ＭＰ１と無線基地局装置ＢＳ２との間の通信が接続される（Ｓ１１０）。
【００２７】
以上のように、移動通信端末ＭＰ１から送られてくる優先通信基準を基にコントロールサーバ４で優先リスト４３ｂを作り、この優先リスト４３ｂをＳＩＰサーバ３へ送信することによって、優先して呼接続するべき移動通信端末を優先することができる。また、接続要求が生じる度に優先通信基準を移動通信端末ＭＰのユーザに選択させることで、通信する毎に優先度を変更することができるため、無線リソースを有効に使用することができる。
【００２８】
なお、図７では同一の無線基地局装置ＢＳ１への接続要求が１つの場合を示したが、この接続要求が複数の場合によりこの効果を奏する。
【実施例２】
【００２９】
実施例１では、無線基地局装置ＢＳ１への接続要求が生じた場合の例を示した。しかしながら、無線基地局装置ＢＳの無線リソースを割当する状況は接続要求だけでなく、ハンドオーバ要求が生じた場合にも発生する。
【００３０】
そこで、実施例２では、ハンドオーバ要求が生じた場合の優先通信制御の仕方について説明する。  
図１乃至図６の構成は、実施例１と同じであるため、同一符号を付して説明を省略する。
【００３１】
図８は、移動通信端末ＭＰ１が無線基地局装置ＢＳ１を介して通信中に、無線基地局装置ＢＳ２へハンドオーバする場合の移動通信システム全体の流れを示すシーケンス図である。
【００３２】
まず、移動通信端末ＭＰ１は無線基地局装置ＢＳ１を介して通信中である（Ｓ２０１）。移動通信端末ＭＰ１の移動に伴い、無線基地局装置ＢＳ２へハンドオーバする必要が生じ、移動通信端末ＭＰ１は無線基地局装置ＢＳ１へハンドオーバ要求を送信する（Ｓ２０２）。このハンドオーバ要求を受信した無線基地局装置ＢＳ１は、コントロールサーバ４へこのハンドオーバ要求を送信する（Ｓ２０３）。
【００３３】
このハンドオーバ要求を受信したコントロールサーバ４は、このハンドオーバ要求に係る移動通信端末ＭＰ１の優先通信基準を通知するようＳＩＰサーバ３へ要求する（Ｓ２０４）。要求を受信したＳＩＰサーバ３は、その移動通信端末ＭＰ１の優先通信基準をコントロールサーバ４へ通知する（Ｓ２０５）。優先通信基準を受信したコントロールサーバ４は、優先リスト４３ｂに移動通信端末ＭＰ１の情報を追加して更新する（Ｓ２０６）。コントロールサーバ４は、優先リスト４３ｂを更新すると、ＳＩＰサーバ３へ優先リスト４３ｂを送信し（Ｓ２０７）、この優先リスト４３ｂを受信したＳＩＰサーバ３は、この優先リスト４３ｂを参照して、優先順にハンドオーバ要求を許可する（Ｓ２０９）。ハンドオーバ要求を許可すると、ＳＩＰサーバ３は、通信中テーブル３３ａにハンドオーバ要求を許可した移動通信端末ＭＰ１の情報を追加して更新する（Ｓ２１０）。
【００３４】
無線基地局装置ＢＳ２は、この通知を受信すると、無線リソースの割当を行う（Ｓ２１１）。無線基地局装置ＢＳ２が無線リソースの割当を行うと、移動通信端末ＭＰ１と無線基地局装置ＢＳ２との間の通信が接続される（Ｓ２１２）。
【００３５】
以上のように、ＳＩＰサーバ３が通信中の移動通信端末ＭＰとその優先通信基準を対応付けて記憶しておくことで、移動通信端末ＭＰがハンドオーバする場合にも、その移動通信端末ＭＰの優先通信基準が優先リスト４３ｂに反映され、優先してハンドオーバするべき移動通信端末を優先することができる。
【００３６】
また、実施例１に示した接続要求の場合の優先リスト４３ｂと同一の優先リスト４３ｂを使用することによって、同一の無線基地局装置ＢＳに接続要求とハンドオーバ要求が生じた場合にも、優先されるべき通信の要求を優先することができる。
【実施例３】
【００３７】
実施例１では、ＳＩＰサーバ３が呼制御処理を行い、コントロールサーバ４が移動通信端末と通信を行って呼の優先度を決定する場合の例を示した。しかしながら、ＳＩＰサーバ３とコントロールサーバ４の間の通信回数や通信量が多いという問題が生じる。
【００３８】
実施例３では、ＳＩＰサーバ３とコントロールサーバ４の代わりに、ＳＩＰサーバ３とコントロールサーバ４との機能を併せ持つ優先呼制御サーバを備える移動通信システムにおける接続要求の優先通信制御について説明する。
【００３９】
移動通信システムの構成は、図１に示すＳＩＰサーバ３とコントロールサーバ４の代わりに、優先呼制御サーバがＩＰ網に接続される。優先呼制御サーバ以外の構成は、図１と同じであるため、同一符号を付して説明を省略する。
【００４０】
また、図４乃至図６の構成は、実施例１と同じであるため、同一符号を付して説明を省略する。
【００４１】
まず、優先呼制御サーバの構成について説明する。優先呼制御サーバは、図２に示すＳＩＰサーバ３と同じ構成に、ＳＩＰサーバの記憶部３３に優先通信基準テーブル４３ａおよび優先リスト４３ｂをさらに記憶した構成と同じである。
【００４２】
次に、優先呼制御サーバ３を使用する接続要求の優先通信制御について説明する。  
図９は、移動通信システム全体の動作を示すシーケンス図である。ここでは、無線基地局装置ＢＳ１が移動通信端末ＭＰ１からの接続要求を受信したが、その移動通信端末ＭＰ１へ割当する無線リソースがない場合について説明する。
【００４３】
まず、移動通信端末ＭＰ１が、無線基地局装置ＢＳ１へ接続要求を送信する。接続要求を受信した無線基地局装置ＢＳは、優先呼制御サーバへ接続要求を転送する（Ｓ３０１）。接続要求を受信した優先呼制御サーバは、優先通信基準テーブル４３ａを表す信号を移動通信端末ＭＰ１へ送信し、その優先通信基準テーブル４３ａの中から、その接続要求を優先すべき理由に相当する優先度を選択して通知するよう移動通信端末ＭＰ１へ要求する（Ｓ３０２）。
【００４４】
移動通信端末ＭＰ１は、自らの接続要求を優先すべき理由に相当する優先度を優先通信基準テーブル４３ａの中から選択し、無線基地局装置ＢＳを介してその優先度を表す信号を優先呼制御サーバへ送信する（Ｓ３０３）。移動通信端末ＭＰ１から優先度を表す信号を受信した優先呼制御サーバは、移動通信端末ＭＰ１とその接続要求に係る優先度を、優先度順に優先リストに記憶するように更新する（Ｓ３０４）。優先呼制御サーバは、優先リストを更新すると、発信のあった移動通信端末ＰＳ１の今回の接続要求の優先度を優先リスト４３ｂを参照して判断する（Ｓ３０５）。この場合、優先リスト４３ｂに記載されている接続要求のうち最も優先度の高い接続要求に無線リソースを割当するために、最も優先度の高い接続要求を許可する接続応答の通知を無線基地局装置ＢＳへ送信する（Ｓ３０６）。この通知を送信すると、優先呼制御サーバは、通信中テーブル３３ａを更新する（Ｓ３０７）。無線基地局装置ＢＳ２は、この通知を受信すると、無線リソースの割当を行い、移動通信端末ＭＰ１と無線基地局装置ＢＳ２との間の通信が接続される（Ｓ３０８）。
【００４５】
以上のように、ＳＩＰサーバ３とコントロールサーバ４の代わりに、ＳＩＰサーバ３とコントロールサーバ４の機能を併せ持つ優先呼制御サーバを備えることで、ＳＩＰサーバ３とコントロールサーバ４の間で通信していた回数分の通信を減少させることができ、優先通信制御の際にネットワークの負荷軽減および優先的に接続するまでの時間を短縮することができる。
【実施例４】
【００４６】
実施例２では、ハンドオーバ要求が生じた場合に、ＳＩＰサーバ３が呼制御処理を行い、コントロールサーバ４が移動通信端末と通信を行って呼の優先度を決定する場合の例を示した。
【００４７】
実施例４では、ＳＩＰサーバ３とコントロールサーバ４の代わりに、ＳＩＰサーバ３とコントロールサーバ４との機能を併せ持つ優先呼制御サーバを備える移動通信システムにおけるハンドオーバ要求の優先通信制御について説明する。
【００４８】
移動通信システムの構成は、図１に示すＳＩＰサーバ３とコントロールサーバ４の代わりに、優先呼制御サーバがＩＰ網に接続される。優先呼制御サーバ以外の構成は、図１と同じであるため、同一符号を付して説明を省略する。  
また、図４乃至図６の構成は、実施例１と同じであるため、同一符号を付して説明を省略する。  
さらに、優先呼制御サーバの構成は実施例３と同じであるため、同一符号を付して説明を省略する。
【００４９】
ここでは、図８を参照して優先呼制御サーバ３を使用する接続要求の優先通信制御について説明する。  
図８は、移動通信端末ＭＰ１が無線基地局装置ＢＳ１を介して通信中に、無線基地局装置ＢＳ２へハンドオーバする場合の移動通信システム全体の流れを示すシーケンス図である。
【００５０】
まず、移動通信端末ＭＰ１は無線基地局装置ＢＳ１を介して通信中である（Ｓ４０１）。移動通信端末ＭＰ１の移動に伴い、無線基地局装置ＢＳ２へハンドオーバする必要が生じ、移動通信端末ＭＰ１は無線基地局装置ＢＳ１へハンドオーバ要求を送信する（Ｓ４０２）。このハンドオーバ要求を受信した無線基地局装置ＢＳ１は、優先呼制御サーバへこのハンドオーバ要求を送信する（Ｓ４０３）。
【００５１】
このハンドオーバ要求を受信した優先呼制御サーバは、このハンドオーバ要求に係る移動通信端末ＭＰ１の優先通信基準を通信中テーブル３３ａを参照して把握し、この優先通信基準と移動通信端末ＭＰ１の情報を追加して更新する（Ｓ４０４）。優先呼制御サーバは、優先リスト４３ｂを更新すると、この優先リスト４３ｂを参照して、優先度を判断する（Ｓ４０５）。優先度を判断すると、優先呼制御サーバは、優先順にハンドオーバ要求を許可するハンドオーバ応答の通知を無線基地局装置ＢＳ２へ送信する（Ｓ４０６）。接続要求を許可すると、優先呼制御サーバは、通信中テーブル３３ａに接続要求を許可した移動通信端末ＭＰ１の情報を追加して更新する（Ｓ４０７）。
【００５２】
無線基地局装置ＢＳ２は、この通知を受信すると、無線リソースの割当を行い、移動通信端末ＭＰ１と無線基地局装置ＢＳ２との間の通信が接続される（Ｓ４０８）。
【００５３】
以上のように、ＳＩＰサーバ３とコントロールサーバ４の代わりに、ＳＩＰサーバ３とコントロールサーバ４の機能を併せ持つ優先呼制御サーバを備えることで、ＳＩＰサーバ３とコントロールサーバ４の間で通信していた回数分の通信を減少させることができ、優先通信制御の際にネットワークの負荷軽減および優先的に接続するまでの時間を短縮することができる。
【００５４】
なお、本発明は、以上の構成に限定されるものではなく、種々の変形が可能である。例えば、ＳＩＰサーバ３は、図１において１つのみ示しているが、ＩＰ網２に複数接続されていてもよい。また、優先通信制御は、実施例１または実施例３に示した接続要求と、実施例２または実施例４に示したハンドオーバ要求が混在して優先通信制御を行ってもよい。
【図面の簡単な説明】
【００５５】
【図１】本発明の一実施の形態に係る移動通信システムの概略図。
【図２】本発明の一実施の形態に係るＳＩＰサーバを表した図。
【図３】本発明の一実施の形態に係るコントロールサーバを表した図。
【図４】本発明の一実施の形態に係る優先通信基準テーブルを示す図。
【図５】本発明の一実施の形態に係る優先度リストを示す図。
【図６】本発明の一実施の形態に係る通信中テーブルを示す図。
【図７】本発明の一実施の形態に係る接続要求に係る優先度に応じて無線リソースを割当する移動通信システムの全体の動作を示すシーケンス図。
【図８】本発明の一実施の形態に係るハンドオーバ要求に係る優先度に応じて無線リオｓ−スを割当する移動通信システムの全体の動作を示すシーケンス図。
【図９】本発明の一実施の形態に係る接続要求に係る優先度に応じて無線リソースを割当する移動通信システムの全体の動作を示すシーケンス図。
【図１０】本発明の一実施の形態に係るハンドオーバ要求に係る優先度に応じて無線リオｓ−スを割当する移動通信システムの全体の動作を示すシーケンス図。
【符号の説明】
【００５６】
ＭＰ、ＭＰ１、ＭＰ２、ＭＰ３…移動通信端末
ＢＳ、ＢＳ１、ＢＳ２、ＢＳ３、…、ＢＳｎ…無線基地局装置
２…ＩＰ網
３…ＳＩＰサーバ
４…コントロールサーバ
３１、４１…制御部
３１ａ…呼制御処理部
３２、４２…通信インターフェース部
３３、４３…記憶部
３３ａ…通信中テーブル
４３ａ…優先通信基準テーブル
４３ｂ…優先リスト
【図１】
2009212589.tif 000003
【図２】
2009212589.tif 000004
【図３】
2009212589.tif 000005
【図４】
2009212589.tif 000006
【図５】
2009212589.tif 000007
【図６】
2009212589.tif 000008
【図７】
2009212589.tif 000009
【図８】
2009212589.tif 000010
【図９】
2009212589.tif 000011
【図１０】
2009212589.tif 000012